(57)【要約】【課題】部品点数を増やすことなくワイヤと構成部材との干渉を抑制できるとともに、ワイヤガイドにワイヤの引張力による応力が集中しても破損しにくいモジュール式ウインドウレギュレータ装置を提供する。【解決手段】モジュールプレートは、基板と、基板に対して鈍角を成す斜面を有し、基板に一体で形成されたワイヤガイド取付部を備え、ワイヤガイドは、ワイヤガイド取付部の斜面と係合する係合面を備えており、ワイヤガイド取付部の斜面とワイヤガイドの係合面との係合状態を保つ係合保持手段により、ワイヤガイドの位置決めがなされることを特徴とする。【選択図】図１
2011226171.tif 000002
【特許請求の範囲】
【請求項１】
車両のドアパネルに取り付けられるモジュールプレートと、窓ガラスを連結する窓ガラス連結部材と、ワイヤを介して前記窓ガラス連結部材を昇降駆動する駆動部材と、前記窓ガラス連結部材と前記駆動部材の間に配置されて前記ワイヤを掛け回し、前記モジュールプレートに取り付けられるワイヤガイドとを有するモジュール式ウインドウレギュレータ装置であって、
前記モジュールプレートは、基板と、
前記基板に対して鈍角を成す斜面を有し、前記基板に一体で形成されたワイヤガイド取付部を備え、
前記ワイヤガイドは、前記ワイヤガイド取付部の斜面と係合する係合面を備えており、
前記ワイヤガイド取付部の斜面と前記ワイヤガイドの係合面との係合状態を保つ係合保持手段により、前記ワイヤガイドの位置決めがなされることを特徴とするモジュール式ウインドウレギュレータ装置。
【請求項２】
前記係合保持手段は、前記ワイヤガイド取付部および前記ワイヤガイドにそれぞれ設けられていることを特徴とする請求項１記載のモジュール式ウインドウレギュレータ装置。
【請求項３】
前記係合保持手段は、前記ワイヤガイド取付部に設けられたワイヤガイド受入部と、前記ワイヤガイドに設けられた挿入部との嵌合により構成されていることを特徴とする請求項２記載のモジュール式ウインドウレギュレータ装置。
【請求項４】
前記ワイヤガイド取付部は、前記基板に対して鈍角を成す第１斜面と、
前記基板に対して鈍角を成し、前記第１斜面と面対称である第２斜面とを有しており、
前記ワイヤガイドは、前記第１斜面と係合する第１係合面と、
前記第２斜面と係合し、前記第１係合面と面対称である第２係合面とを有していることを特徴とする請求項１、２または３のいずれかに記載のモジュール式ウインドウレギュレータ装置。
【請求項５】
前記係合保持手段は、前記ワイヤガイド取付部から前記ワイヤガイドが抜け出る方向へ移動するのを防止する抜止部材と、
前記ワイヤガイド取付部に設けられた抜止部材取付部とにより構成されていることを特徴とする請求項１記載のモジュール式ウインドウレギュレータ装置。
【発明の詳細な説明】
【技術分野】
【０００１】
本発明は、ワイヤを用いて自動車の窓ガラス等のウインドウパネルを昇降させ、自動車のドアパネルに取り付けられるモジュール式ウインドウレギュレータ装置に関するものである。
【背景技術】
【０００２】
現在、多くの自動車のドアにおいて、窓ガラスはウインドウレギュレータ装置によって電動で昇降する、いわゆる、パワーウインドウが採用されている。前記ウインドウレギュレータ装置は、前記窓ガラスと連結される窓ガラス連結部材と、前記窓ガラス連結部材の昇降をガイドするガイド部材と、前記窓ガラス連結部材に取り付けられたワイヤと、前記ワイヤの巻き取り及び送り出しを同時に行うドラムと、前記ドラムを回転駆動するための駆動装置とを備えている。また、前記ガイド部材の両端には、前記ワイヤが架設されるワイヤガイドを備えている。前記窓ガラス及び前記ウインドウレギュレータ装置はドアパネルの中空部に配置されている。
【０００３】
近年、自動車はキャビンスペースを確保するため、ドアが薄くなってきている。また、ドアパネルの中空部を利用して収納スペースやドリンクホルダを形成する場合も増えてきている。これにより、前記ドアパネルの中空部の前記ウインドウレギュレータ装置を取り付ける空間が狭くなる。このような、狭い空間内に前記ウインドウレギュレータ装置を配置する場合、前記ワイヤが前記ドアパネルの一部や窓ガラスと接触し、異音や、動作不良の原因となる。
【０００４】
そこで、特許文献１には、前記ワイヤと前記外装パネル及び（又は）内装パネルやウインドウパネル（窓ガラス）との干渉を抑制し、前記異音や動作不良を抑えることができるウインドウレギュレータ構造が記載されている。特許文献１に記載のワイヤ式ウインドウレギュレータ構造は、ガイドレールの端部にワイヤガイド部材を構成するプーリ支持板が取り付けられる取付面部を備えている。そして、前記取付面部は前記ガイドレールの一部を所定角度だけ切り起こして形成されている。これにより、前記プーリ支持板に連接された案内部の先端が、キャリアプレート、すなわち、ウインドウパネルから離れる方向に傾斜する。このように案内部を傾斜させることで、前記ワイヤを覆うアウタチューブと前記ウインドウパネルとの接触を抑制している。
【０００５】
従来、ドアに内臓されるウインドウレギュレータ装置等の複数の機能部品は、別々にドアに取り付けるものが多く採用されている。このように別々に取り付けるものの場合、その部品の数だけドアへの取り付け作業を行う必要があり、作業性が悪い。そこで、特許文献２に示すようなモジュール化されたウインドウレギュレータ装置が提案されている。前記モジュール化されたウインドウレギュレータ装置は、合成樹脂からなる板状のベースプレートと、前記ベースプレートに固定されたガイドレール（同文献では、レール部）と、前記ベースプレートに固定された駆動装置（同文献では、ウインドウレギュレータ装置）とを備えている。特許文献２に示すようにウインドウレギュレータ装置をモジュール化することで、前記ベースプレートに予め前記ウインドウレギュレータ装置等の複数の機能部品が取り付けられているため、ドアへの取り付けが容易になる。
【０００６】
前記モジュール化されたウインドウレギュレータ装置で前記ワイヤと前記ドアとの干渉を抑制する場合でも、特許文献１と同様にワイヤガイドで配索方向を変更してやる必要がある。このようなモジュール化されたウインドウレギュレータ装置の場合、前記ワイヤが通過する溝の前記ベースプレートに対する角度を変更したワイヤガイドを用いることで前記ワイヤの配索方向を変更することが可能である。また、図１１に示すようにプーリ等のような汎用性が高いワイヤガイド９７を用いる場合、ワイヤガイド９７を取り付けるためのワイヤガイド取付部９８のベースプレート９１０に対する角度を調整することで、ワイヤ９４の配索方向を調整することも可能である。
【０００７】
また、前記ワイヤの移動をガイドし、該ワイヤの引き方向を変換させるワイヤガイドとして、特許文献１に示すようにプーリを用いるものや、特許文献３に示すようにワイヤ（同文献においてボーデンケーブル）を曲面に沿って配置するものもある。特許文献３に示すワイヤガイド（同文献において支持部材）はガイドレールに対して着脱自在であり、前記ワイヤガイドのリブに設けられた突出部が前記ガイドレールに設けられた切欠きに係合することで抜け止めされている。
【先行技術文献】
【特許文献】
【０００８】
【特許文献１】実開昭６３−２０００８６号公報
【特許文献２】特開２０００−２３８５２７号公報
【特許文献３】実開昭５７−１６３９７３号公報
【発明の概要】
【発明が解決しようとする課題】
【０００９】
特許文献１に記載のウインドウレギュレータ装置では、前記ガイドレール端部の切り起こしによって形成されている折り曲げ部は、塑性変形により前記ガイドレールの他の部分に比べて破損しやすくなっている。そのため、前記ウインドウパネルの昇降時、ワイヤに張力が作用するのに伴って前記プーリに荷重が作用すると、その荷重によって塑性変形している折り曲げ部の破損が発生しやすい。
【００１０】
特許文献２に記載のモジュール化されたウインドウレギュレータ装置で前記ワイヤの配索方向を変更する場合、前記ワイヤの配索方向ごとに異なる形状（種類）のワイヤガイドを備えていなくてはならず、前記ワイヤガイドの製造にコストがかかる。また、作業者は前記ウインドウレギュレータ装置の組立時に、複数種類のワイヤガイドの中から正しいワイヤガイドを選択しなくてはならず、手間と時間がかかる。また、取り付け時に誤った種類のワイヤガイドを取り付けてしまう場合もあり、動作不良や破損の原因にもなる。
【００１１】
図１１に示すように、ワイヤガイド９７をベースプレート９１０に対して傾けて取り付けるウインドウレギュレータの場合、ワイヤガイド取付部９８は円柱等の柱部材であることが多い。ワイヤガイド取付部９８が柱部材の場合、ワイヤガイド取付部９８の外周部分がベースプレート９１０となす角度σ１、σ２のうち、どちらか一方（図１１ではσ２）がベースプレート９１０に対して鋭角となる。ベースプレート９１０とワイヤガイド取付部９８との角度が鋭角な部分があると、ベースプレート９１０とワイヤガイド取付部９８とを一体で成形しようとする場合、成形時に金型の抜き方向が制限され、金型が複雑になったり、製造工程が複雑になったりして、手間とコストがかかる。ベースプレート９１０とワイヤガイド取付部９８を別部材とする場合には、部品点数が増えて製造工程が複雑になることで、ウインドウレギュレータ装置の組立作業に手間と時間がかかる。
【００１２】
そこで本発明は、部品点数を増やすことなくワイヤと構成部材との干渉を抑制できるとともに、前記ワイヤガイドに前記ワイヤの引張力による応力が集中しても破損しにくいモジュール式ウインドウレギュレータ装置を提供することを目的とする。
【課題を解決するための手段】
【００１３】
上記目的を達成するために請求項１に記載の発明は、車両のドアパネルに取り付けられるモジュールプレートと、窓ガラスを連結する窓ガラス連結部材と、ワイヤを介して前記窓ガラス連結部材を昇降駆動する駆動部材と、前記窓ガラス連結部材と前記駆動部材の間に配置されて前記ワイヤを掛け回し、前記モジュールプレートに取り付けられるワイヤガイドとを有するモジュール式ウインドウレギュレータ装置であって、前記モジュールプレートは、基板と、前記基板に対して鈍角を成す斜面を有し、前記基板に一体で形成されたワイヤガイド取付部を備え、前記ワイヤガイドは、前記ワイヤガイド取付部の斜面と係合する係合面を備えており、前記ワイヤガイド取付部の斜面と前記ワイヤガイドの係合面との係合状態を保つ係合保持手段により、前記ワイヤガイドの位置決めがなされることを特徴とする。
【発明の効果】
【００１４】
（１）本発明によると、一体で形成されることで部品点数を増やすことなくワイヤと構成部材との干渉を抑制できるとともに、ワイヤガイド取付部が基板と一体に形成されているので、ワイヤガイドにワイヤの引張力による応力が集中しても破損しにくいモジュール式ウインドウレギュレータ装置を提供することができる。
【００１５】
（２）係合保持手段がワイヤガイド取付部およびワイヤガイドにそれぞれ設けられている場合は、係合状態を安定して保持し、ワイヤガイド取付部からのワイヤガイドの脱落を確実に防止できる。
【００１６】
（３）係合保持手段が、ワイヤガイド取付部に設けられたワイヤガイド受入部と、ワイヤガイドに設けられた挿入部との嵌合により構成されている場合は、ワイヤガイドが確実に位置決めされ、ワイヤガイド取付部からのワイヤガイドの脱落を確実に防止できる。
【００１７】
（４）ワイヤガイド取付部が、基板に対して鈍角を成す第１斜面と、基板に対して鈍角を成し、第１斜面と面対称である第２斜面とを有しており、ワイヤガイドが、第１斜面と係合する第１係合面と、第２斜面と係合し、第１係合面と面対称である第２係合面とを有している場合は、ワイヤガイドを共通化することができ、個別に対応するワイヤガイドを製作する必要がなく、コストを低減することが可能である。
【００１８】
（５）係合保持手段が、ワイヤガイド取付部からワイヤガイドが抜け出る方向へ移動するのを規制する抜止部材と、ワイヤガイド取付部に設けられた抜止部材取付部とにより構成されている場合は、ワイヤガイドがワイヤガイド取付部から脱落するのを防止することができる。
【図面の簡単な説明】
【００１９】
【図１】本発明にかかるモジュール式ウインドウレギュレータ装置が取り付けられたドアを内側から見た図である。
【図２】図（ａ）は本発明にかかるウインドウレギュレータ装置に用いられているワイヤガイドの正面図であり、図（ｂ）は同じく平面図であり、図（ｃ）は同じく底面図である。
【図３】図（ａ）は本発明にかかるモジュール式ウインドウレギュレータ装置に用いられるワイヤガイド取付部の正面図であり、図（ｂ）は同じく平面図であり、図（ｃ）は同じく右側面図である。
【図４】図（ａ）はワイヤガイド取付部にワイヤガイドを取り付ける前の段階の正面図であり、図（ｂ）は取り付け途中の正面図であり、図（ｃ）はワイヤガイドが取り付けられたワイヤガイド取付部の正面図である。
【図５】図（ａ）は図４（ｃ）に示すワイヤガイド及びワイヤガイド取付部の底面図であり、図（ｂ）は同じく右側面図であり、図（ｃ）は同じくｉ−ｉ線断面図である。
【図６】図（ａ）はワイヤガイドを傾けて取り付けることができるワイヤガイド取付部の正面図であり、図（ｂ）は同じく平面図であり、図（ｃ）は同じく右側面図である。
【図７】図６(ａ)に示すワイヤガイド取付部にワイヤガイドを取り付けた状態の底面図である。
【図８】図（ａ）はワイヤガイドの他の例の正面図であり、図（ｂ）は同じくｉｉ−ｉｉ線断面図である。
【図９】図８に示すワイヤガイドを取り付けるワイヤガイド取付部の平面図である。
【図１０】図８に示すワイヤガイドが取り付けられたワイヤガイド取付部の平面図である。
【図１１】従来のワイヤガイド取付部とそれに取り付けられたワイヤガイドの平面図である。
【発明を実施するための形態】
【００２０】
以下に本発明の実施形態を図面を参照して説明する。図１は本発明にかかるモジュール式ウインドウレギュレータ装置が取り付けられたドアを内側から見た図である。図１は乗用車の側面に形成されたドアを乗用車の内部（キャビンスペース）側から見ている。なお、実際のドアはキャビンスペース側に内装パネルが取り付けられるが、図１では内装パネルの図示を省略している。また、以下において、モジュール式ウインドウレギュレータ装置を単にウインドウレギュレータ装置と表現する場合がある。
【００２１】
図１に示すように、ドアＤｒは、中空部を備えたドアパネルＤｐと、下部がドアパネルＤｐの中空部の内部に配置され、ドアパネルＤｐに固定されたサッシュＳａと、ドアパネルＤｐの中空部に配置され、サッシュＳａにガイドされて昇降する窓ガラスＷｓと、ドアパネルＤｐの中空部に配置され、窓ガラスＷｓを昇降自在に支持するモジュール式ウインドウレギュレータ装置Ｗｒとを備えている。
【００２２】
モジュール式ウインドウレギュレータ装置Ｗｒは、ドアパネルＤｐに取り付けられるモジュールプレート１と、窓ガラスＷｓと連結された２個の窓ガラス連結部材２（２Ａ、２Ｂ）と、窓ガラスＷｓを昇降させる駆動力を発生する駆動部材３と、窓ガラス連結部材２と駆動部材３とを接続し、駆動部材３の駆動力を窓ガラス連結部材２に伝達するワイヤ４と、ワイヤ４が架設される４個のワイヤガイド５とを備えている。
【００２３】
モジュールプレート１は、樹脂で形成された矩形の基板１０と、基板１０に一体形成され、ワイヤガイド５が取り付けられた４個のワイヤガイド取付部６（６Ａ、６Ｂ、６Ｃ、６Ｄ）とを備えている。図１に示すように、基板１０には、ドアパネルＤｐに取り付けるとき、ドアパネルＤｐに螺合するねじが貫通する貫通孔１１が備えられている。なお、図１に示す基板１０では、各辺に４個ずつ合計１６個の貫通孔１１が備えられているが、それに限定されるものではない。基板１０をゆがまないよう、確実にドアパネルＤｐに固定できるよう、基板１０の厚さ、大きさ等によって適切な個数が決定される。また、全ての貫通孔１１を使用する必要はなく、ドアパネルＤｐにあわせて適宜選択することで、モジュールプレート１の汎用性を高めることも可能である。
【００２４】
４個のワイヤガイド取付部６Ａ、６Ｂ、６Ｃ、６Ｄは基板１０の四隅近傍に配置されている。ワイヤガイド取付部６Ａはモジュールプレート１の右上部分に、ワイヤガイド取付部６Ｂはモジュールプレート１の右下部分に、ワイヤガイド取付部６Ｃはモジュールプレート１の左上部分に、ワイヤガイド取付部６Ｄはモジュールプレート１の左下部分にそれぞれ配置されている。また、ワイヤガイド取付部６Ａとワイヤガイド取付部６Ｂ、ワイヤガイド取付部６Ｃとワイヤガイド取付部６Ｄとは窓ガラスＷｓの昇降方向に沿って並んで配置されている。また、各ワイヤガイド取付部６Ａ、６Ｂ、６Ｃ、６Ｄには、ワイヤガイド５がそれぞれ着脱可能に取り付けられている。ワイヤガイド及びワイヤガイド取付部の詳細については後述する。
【００２５】
窓ガラス連結部材２は、窓ガラスＷｓの下面の右側と連結する窓ガラス連結部材２Ａと、窓ガラスＷｓの下面の左側と連結する窓ガラス連結部材２Ｂとを含んでいる。図１に示すように、窓ガラス連結部材２Ａは、ワイヤガイド取付部６Ａとワイヤガイド取付部６Ｂとの間に配置され、窓ガラス連結部材２Ｂは、ワイヤガイド取付部６Ｃとワイヤガイド取付部６Ｄとの間に配置されている。窓ガラス連結部２Ａ及び窓ガラス連結部２Ｂは異なるルートで配索されたワイヤ４（４１、４３）を介して駆動部材３と連結されている。また、窓ガラス連結部２Ａと窓ガラス連結部２Ｂとは、さらに異なるルートで配索されたワイヤ４（４２）を介して接続されている。
【００２６】
図１に示すように、駆動部材３は、基板１０に回動可能に支持されたドラム３１と、ドラム３１を回転駆動するモータ３２とを備えている。駆動部材３は４個のワイヤガイド取付部６で囲まれた領域の内部に配置されている。
【００２７】
ワイヤ４は、３本のワイヤ４１、ワイヤ４２、ワイヤ４３に分割されている。各ワイヤ４１、４２、４３はワイヤガイド５に架設されることで配索方向が変更されている。ワイヤ４１は一端がドラム３１に巻回されており、右下のワイヤガイド取付部６Ｂに取り付けられたワイヤガイド５に架設され、右側の窓ガラス連結部材２Ａの下側と接続されている。ワイヤ４２は一端が右上のワイヤガイド６Ａに取り付けられたワイヤガイド５及び左下のワイヤガイド取付部６Ｄに取り付けられたワイヤガイド５に架設され、右側の窓ガラス連結部材２Ａの上側、左側の窓ガラス連結部材２Ｂの下側、それぞれとを接続している。さらに、ワイヤ４３は一端がドラム３１に巻回されており、左上のワイヤガイド取付部６Ｃに取り付けられたワイヤガイド５に架設され、左側の窓ガラス連結部材２Ｂの上側と接続されている。なお、ワイヤ４１、４２、４３は裸線状態であってもよく、窓ガラス連結部材２Ａ、２Ｂの移動に関係のない部分の少なくとも一部はアウタチューブで保護されている形状であってもよい。
【００２８】
ワイヤ４１、４２、４３の窓ガラス連結部材２Ａ、２Ｂとの接続部分は、ばね等の弾性部材によって、常に一定以上の張力でワイヤ４１、４２、４３を引っ張る構成となっている。このように、ワイヤ４１、４２、４３に常に一定以上の張力が作用することで、ワイヤ４１、４２、４３の弛みが抑制されている。これにより、ワイヤのたるみが原因で窓ガラス連結部材２Ａ、２Ｂの相対位置がずれて窓ガラスＷｓが傾いたり、窓ガラス連結部材２Ａ、２Ｂにワイヤの張力が作用するまでの間の窓ガラス連結部材の動作の遅れを抑制することが可能である。
【００２９】
次に、ウインドウレギュレータ装置Ｗｒによる窓ガラスＷｓの昇降（開閉）動作について説明する。モータ３２を駆動し、ドラム３１を図１中時計回りに回転させると、ワイヤ４３がドラム３１に巻き取られ、ワイヤ４１がドラム３１から送り出される。これにより、ワイヤ４３が窓ガラス連結部材２Ｂを上方に引っ張る。
【００３０】
また、ワイヤ４２は窓ガラス連結部材２Ｂに引っ張られ、窓ガラス連結部材２Ａを引っ張る。このとき、窓ガラス連結部材２Ａと接続しているワイヤ４１は、ドラム３１の回転により、ドラム３１に巻き取られていた部分が送り出されている。これにより、ワイヤ４２がワイヤ４３側に移動し、窓ガラス連結部材２Ｂ及び窓ガラス連結部材２Ａは同期して上昇する。
【００３１】
また、モータ３２を逆回転させ、ドラム３１を図１中反時計回りに回転させると、ワイヤ４１がドラム３１に巻き取られ、ワイヤ４３がドラム３１から送り出される。これにより、ワイヤ４２はワイヤ４１側に移動し、窓ガラス連結部材２Ａ及び２Ｂは下降する。
【００３２】
窓ガラスＷｓは窓ガラス連結部材２Ａ、２Ｂと連結されているものであり、窓ガラス連結部材２Ａ、２Ｂの昇降に連動して昇降する。なお、窓ガラス連結部材２Ａ、２Ｂはともにドラム３１によるワイヤ４の巻き取り及び送り出しによって昇降するので、その移動量は等しくなる。これにより、窓ガラス連結部材２Ａ、２Ｂと連結している窓ガラスＷｓは姿勢を崩すことなく、昇降（開閉）することが可能である。
【００３３】
次に、本発明の要部であるワイヤガイドとワイヤガイド取付部について、図面を参照して説明する。まず、ワイヤガイドについて図面を参照して説明する。図２（ａ）は本発明にかかるウインドウレギュレータ装置に用いられているワイヤガイドの正面図であり、図２（ｂ）は同じく平面図であり、図２（ｃ）は同じく底面図である。
【００３４】
ワイヤガイド５は弾性を有する樹脂の一体成型体である。図２（ａ）に示すように、ワイヤガイド５は、平板形状を有し、ワイヤガイド取付部６のワイヤガイド受入部６５に挿入されることで係合保持手段を構成する挿入部５１と、挿入部５１の外周の一部に形成された曲面部５２と、挿入部５１の曲面部５２と反対側より突出した一対の突出部５３とを備えている。
【００３５】
そして、曲面部５２には、ワイヤ４が架設されるとき、ワイヤガイド５から脱落しないようにワイヤ４が係合されるワイヤ溝５２１が備えられている。一対の突出部５３の外側の面にはワイヤ溝５２１に係合されているワイヤ４がワイヤ溝５２１から外れるのを抑制するワイヤ規制部５４が形成されている。ワイヤ規制部５４は突出部５３から突出しているとともに先端部が屈曲しており、ワイヤ４を突出部５３の外側の面と対向する面でワイヤ４を押える構造を有している。なお、ワイヤガイド５は潤滑性を有する樹脂材料で形成されていてもよく、ワイヤ溝５２１に個体潤滑材が塗布されていてもよい。
【００３６】
ワイヤガイド５は正面視において、面対称形状を有している。そして、突出部５３の内面である、第１係合面５３１、第２係合面５３２はワイヤガイド５の対称面αに対して角度θ傾いている。また、一対の突出部５３の先端には、突出部５３の先端側が細いくさび形状の爪部５５が備えられている。爪部５５は第１係合面５３１及び第２係合面５３２のそれぞれより、内側に突出している。なお、各突出部５３に形成されている爪部５５も対称面αを挟んで対称となる位置に配置されている。また、図２（ｃ）に示しているように、挿入部５１の曲面部５２と反対側の面の一対の突出部５３で挟まれている部分には台形の嵌合面５６が形成されている。
【００３７】
次に、ワイヤガイド５を取り付けるワイヤガイド取付部について説明する。ワイヤ４は基板１０と平行に配索される場合もあり、従来例の図１１に示しているように、障害物を避けるために基板１０に対して角度を持って配索される場合もある。ワイヤ４の配索方向（角度）はワイヤガイド５の基板１０に対する傾き角度で調整することが可能である。そこで、以下の説明では、まず、ワイヤガイド５が基板１０と平行に取り付けられるワイヤガイド取付部６について説明し、その後、ワイヤガイド５が基板１０に対して傾けて取り付けられるワイヤガイド取付部６０について説明する。
【００３８】
図３（ａ）は本発明にかかるモジュール式ウインドウレギュレータ装置に用いられるワイヤガイド取付部の正面図であり、図３（ｂ）は同じく平面図であり、図３（ｃ）は同じく右側面図である。なお、図３（ａ）〜図３（ｃ）に示すワイヤガイド取付部６は、ワイヤガイド５を基板１０と平行に保持する形状のものである。
【００３９】
図３（ａ）〜図３（ｃ）に示すように、ワイヤガイド取付部６は、四角錘台形状を有している。ワイヤガイド取付部６は、上側斜面６１と、下側斜面６２と、正面視左側の第１斜面６３と、正面視右側の第２斜面６４とを備えている。図３（ａ）、（ｂ）に示すように、ワイヤガイド取付部６は、正面視及び上面視において、左右対称な形状を有しており、第１斜面６３及び第２斜面６４の対称面βに対する傾き角度は等しく角度θである。また、第１斜面６３及び第２斜面６４の傾き角度θは、ワイヤガイド５の第１係合面５３１、第２係合面５３２の傾き角θと同じである。
【００４０】
ワイヤガイド取付部６には、ワイヤガイド５を保持する係合保持手段を構成するワイヤガイド受入部６５が形成されている。ワイヤガイド受入部６５は上側斜面６１に形成された凹溝であり、その両端は第１斜面６３から第２斜面６４に貫通している。そして、ワイヤガイド受入部６５は対向する内壁面６５１、６５２を備えており、内壁面６５１、６５２は平行であるとともに、対称面βと直交している。ワイヤガイド受入部６５は内壁面６５１、６５２でワイヤガイド５の挿入部５１を保持する形状となっている。
【００４１】
また、ワイヤガイド受入部６５は台形状の底面部６５３を備えている。この台形状の底面部６５３の上底及び下底の長さは、ワイヤガイド５の嵌合面５６の上底及び下底と同じ長さである。つまり、嵌合面５６と底面部６５３とは平面視同一の形状を有しており、平面視方向（上下方向）に重ねることが可能である。
【００４２】
ワイヤガイド取付部６は基板１０と樹脂の一体成形にて形成されるものである。樹脂の一体成形の場合、基板１０より突出する斜面と基板１０とのなす角度が鋭角になる場合、金型が複雑になり、製造に手間と時間がかかりコストがアップする。図３各図に示す、ワイヤガイド取付部６の場合、上側斜面６１、下側斜面６２、第１斜面６３及び第２斜面６４いずれの斜面も基板１０となす角度が鈍角になっている。これにより、モジュールプレート１を製造するときに、金型を基板１０と直交する方向に引き抜くことでワイヤガイド取付部６を作成することができ、製造の手間とコストを抑えることができる。また、金属板を切り起こすものに比べて強度が大きく、ワイヤガイド取付部６が破損しにくい。このことにより、本発明のモジュール式ウインドウレギュレータ装置は従来のものに比べて耐久性に富んでいる。
【００４３】
次に、ワイヤガイド５をワイヤガイド取付部６に取り付ける方法について説明する。図４（ａ）はワイヤガイド取付部にワイヤガイドを取り付ける前の段階の正面図であり、図４（ｂ）は同じく取り付け途中の正面図であり、図４（ｃ）はワイヤガイドが取り付けられたワイヤガイド取付部の正面図である。また、図５（ａ）は図４（ｃ）に示すワイヤガイド及びワイヤガイド取付部の底面図であり、図５（ｂ）は同じく右側面図であり、図５（ｃ）は同じくｉ−ｉ線断面図である。
【００４４】
まず、図４（ａ）に示すように、ワイヤガイド５をワイヤガイド受入部６５の上部から挿入する。このとき、ワイヤガイド５の爪部５５がワイヤガイド受入部６５の底面部６５３に引っかかり、ワイヤガイド５はワイヤガイド取付部６に対して仮取付状態である。
【００４５】
図４（ａ）に示す状態から、ワイヤガイド５を下方に押し込むことで、爪部５５がさらに奥に摺動する。爪部５５はくさび形状を有しており、そのくさび形状の面が底面部６５３と第１斜面６３との稜線、底面部６５３と第２斜面６４との稜線で押され、ワイヤガイド５全体或いは突出部５３は爪部５５が離れるように弾性変形される（図４（ｂ）参照）。
【００４６】
ワイヤガイド５をさらに押し込むことで、ワイヤガイド５の嵌合面５６がワイヤガイド受入部６５の底面部６５３と当接する。このとき、爪部５５は第１斜面６３、第２斜面６４よりも下方に移動する。これにより、爪部５５が第１斜面６３、第２斜面６４と接触することで受けていた、ワイヤガイド５を爪部５５同士を離す方向の力が開放され、ワイヤガイド５は元の形状に戻る。このとき、突出部５３の第１係合面５３１が第１斜面６３と、第２係合面５３２が第２斜面６４と係合するとともに、爪部５５が下側斜面６２と係合する（図４（ｃ）、図５（ａ）参照）。
【００４７】
図５（ｂ）、（ｃ）に示すように、ワイヤガイド５がワイヤガイド取付部６に取り付けられているとき、ワイヤガイド５の挿入部５１はワイヤガイド受入部６５の内壁面６５１、６５２に支えられて、係合状態を安定して保持し、ワイヤガイドは確実に位置決めされて、ワイヤガイド取付部６からの脱落が抑制されている。また、爪部５５が下側斜面６２と係合していることで、ワイヤガイド５が上方に抜けるのを抑制している。このことは、モジュールプレート１の組立時、組み付け時などでワイヤガイド５及びワイヤガイド取付部６が上下逆に配置される場合であっても、ワイヤガイド５がワイヤガイド取付部６から外れるのを抑制することができる。
【００４８】
次に、ワイヤガイド５を基板１０に対して傾けて取り付けるワイヤガイド取付部６０について図面を参照して説明する。図６（ａ）はワイヤガイドを傾けて取り付けることができるワイヤガイド取付部の正面図であり、図６（ｂ）は同じく平面図であり、図６（ｃ）は同じく右側面図である。なお、図６（ａ）〜図６（ｃ）に示すワイヤガイド取付部６０は、面対称形状ではなく、基板１０に対して傾いて形成されている。
【００４９】
図６(ａ)、図６（ｂ）に示すように、ワイヤガイド取付部６０は第１斜面６３と第２斜面６４とから等距離の面δ（ワイヤガイド取付部６において対称面βに相当、中心面δとする）が基板１０に対して傾いた四角錘台形状を有している。ワイヤガイド取付部６０は中心面δが基板１０に対して左側に傾いている。
【００５０】
第１斜面６３と基板１０との角度γ１、第２斜面６４と基板１０との角度γ２はそれぞれ、鈍角で形成されており、モジュールプレート１を製造するための金型の製作が容易である。これにより、金型の製造にかかる手間と時間を省くことができコストを下げることができる。また、金属板を切り起こすものに比べて強度が大きく、ワイヤガイド取付部６０が破損しにくい。このことにより、本発明のモジュール式ウインドウレギュレータ装置は従来のものに比べて耐久性に富んでいる。
【００５１】
また、図６（ｂ）に示しているように、ワイヤガイド取付部６０の第１斜面６３と第２斜面６４との中心面δに対する傾き角度は角度θである。ワイヤガイド取付部６０の、ワイヤガイド受入部６５の内壁面６５１、６５２及び底面部６５３の形状は、ワイヤガイド取付部６と同じ構成である。
【００５２】
ワイヤガイド取付部６０へのワイヤガイド５の取り付けについて説明する。図７は図６(ａ)に示すワイヤガイド取付部６０にワイヤガイド５を取り付けた状態の底面図である。図７に示すワイヤガイド取付部６０には、ワイヤガイド取付部６と共通のワイヤガイド５を取り付けることが可能である。なお、ワイヤガイド取付部６０へのワイヤガイド５の取り付けは上述したワイヤガイド５を基板と平行に取り付けるワイヤガイド取付部６と同じであり詳細は省略する。
【００５３】
上述したように、ワイヤガイド取付部６０のワイヤガイド受入部６５はワイヤガイド取付部６のワイヤガイド受入部６５と同じ構成である。また、ワイヤガイド受入部６５の底面部６５３から下側斜面６２までの長さも、同じ長さとなるように形成されている。
【００５４】
また、ワイヤガイド取付部６０の中心面δの傾き角度は、ワイヤガイド５の基板１０に対する角度すなわちワイヤ４の配索方向（角度）によって決定される。ドアパネルＤｐの中空部は限られた空間であり、ワイヤ４を配索できる領域も制限される。このことにより、ワイヤ４の配索方向（角度）も一定の範囲内に限られるものであり、中心面δの傾き角度も一定の範囲に限定される。
【００５５】
ワイヤガイド取付部６、ワイヤガイド取付部６０を構成するとき、中心面δの傾き角度が一定の範囲内で変化しても、第１斜面６３、第２斜面６４の基板１０に対する傾き角度γ１、γ２が鈍角となるように、第１斜面６３、第２斜面６４の傾斜角度θを設定することで、ワイヤガイド取付部６、６０の傾き方向に関係なく、モジュールプレート１の製造時に、金型を基板１０に対して直交する方向に開くことで製造できる。このことは、モジュールプレート１の製造に、金型（スライドコア）を斜めに引き抜いたりたり、複数個のスライドコアを異なる方向に引き抜いたりする必要がなく、金型構造を簡略化し、成形タクトタイムの短縮化をはかることが可能である。
【００５６】
また、ワイヤガイド取付部６とワイヤガイド取付部６０とで、第１斜面６３及び第２斜面６４の傾斜角θを共通化しているので、ワイヤガイド取付部６０の中心面δの基板１０に対する傾きに関わらず、ワイヤガイド取付部６に取り付けることができるワイヤガイド５を容易に取り付けることが可能である。これにより、例えば、図１に示すようなモジュールプレート１において、ワイヤガイド取付部６Ａ、６Ｂ、６Ｃ、６Ｄそれぞれが基板１０に対して異なる角度で傾いていたとしても、ワイヤガイド５を共通化することができ、個別に対応するワイヤガイドを製作する必要がなく、それだけ、コストを低減することが可能である。また、ワイヤガイド５を共通化することで、ワイヤガイド５を選別する手間を省くことができるとともに、誤ったワイヤガイド５を取り付けるミスの発生を防止することができる。
【００５７】
なお、上記実施形態において、ワイヤガイド取付部６及び６０は、第１斜面６３の傾斜角度と第２斜面６４の傾斜角度とが同じ角度θであるものを例に説明しているが、それに限定されるものではない。ワイヤガイド取付部６、６０の第１斜面６３とワイヤガイド５の第１係合面５３１の傾斜角度が同じで、第２斜面６４と第２係合面５３２との傾斜角度が同じであれば、第１斜面６３と第２斜面６４の傾斜角度が異なっていてもかまわない。第１斜面６３と基板１０との角度γ１及び第２斜面６４と基板１０との角度γ２が鈍角となる構成を広く採用することができる。
【００５８】
また、上記実施形態では、ワイヤガイド取付部６０が横方向（第１斜面方向）に傾いているもので説明しているが、上下方向（上側斜面６１又は下側斜面６２方向）に傾いていてもよい。また、横方向及び上下方向に傾いていてもよい。
【００５９】
更に、本発明にかかるモジュール式ウインドウレギュレータ装置に用いられるワイヤガイド及びワイヤガイド取付部の他の例について図面を参照して説明する。図８（ａ）はワイヤガイドの他の例の正面図であり、図８（ｂ）は図８（ａ）のワイヤガイドをｉｉ−ｉｉ線で切断した断面図である。図８（ａ）、（ｂ）に示すワイヤガイド７は、プーリである。ワイヤガイド７は円板形状を有しており、円柱状の外周にワイヤ４を架設するワイヤ溝７１と、中央にワイヤガイド取付部８が貫通する係合孔７２とを有している。図８（ｂ）に示すように、係合孔７２の内周７２１は、一方に向かって収束する形状、円錐台形状で形成されている。なお、ワイヤガイド７はモジュール式ウインドウレギュレータ装置以外にも用いられる汎用品のプーリに加工を施すことにより得られるものである。
【００６０】
次に、ワイヤガイド取付部の他の例について図面を参照して説明する。図９はワイヤガイド取付部の平面図であり、図１０は図８に示すワイヤガイドが取り付けられたワイヤガイド取付部の平面図である。図９に示すワイヤガイド取付部８は、円錐形状の外周８０を有しており、基板１０から傾いて突出している。ワイヤガイド取付部８は周側部に周方向に一周した凹溝である抜止部材取付部８１が形成されている。
【００６１】
図１０に示すように、ワイヤガイド７は係合孔７２の内周７２１がワイヤガイド取付部８の外周８０と接触するようにワイヤガイド取付部８に外嵌している。ワイヤガイド取付部８に外嵌したワイヤガイド７はワイヤガイド取付部８を中心に回転可能である。ワイヤガイド７が外嵌したワイヤガイド取付部８には、ワイヤガイド７がワイヤガイド取付部８から抜けるのを抑制するための抜止部材７３が抜止部材取付部８１に嵌合される。これにより、ワイヤガイド７はワイヤガイド取付部８から脱落するのを抑制される。なお、抜止部材７３として、Ｃリング、Ｅリング等の汎用品を用いることができる。
【００６２】
以上に示したように、ワイヤガイド取付部８を円錐形状とすることで、ワイヤガイド７を基板１０に対して傾けて取り付けるためにワイヤガイド取付部８を基板１０に対して傾けた場合であっても、ワイヤガイド取付部８の外周８０と基板１０との角度を鈍角とすることができる。これにより、モジュールプレート１を製造するときに、金型を基板１０と直交する方向に引くことで製造することができ、製造が容易である。
【産業上の利用可能性】
【００６３】
本発明は自動車のドアに備えられる窓ガラス等のウインドウパネルを昇降（開閉）するための昇降装置として利用可能である。
【符号の説明】
【００６４】
１  モジュールプレート
１０  基板
２  窓ガラス連結部材
３  駆動部材
３１  ドラム
３２  モータ
４  ワイヤ
５  ワイヤガイド
５１  挿入部
５２  曲面部
５２１  ワイヤ溝
５３  突出部
５４  ワイヤ規制部
５５  爪部
５６  嵌合面
６、６０  ワイヤガイド取付部
６１  上側斜面
６２  下側斜面
６３  第１斜面
６４  第２斜面
６５  ワイヤガイド受入部
【図１】
2011226171.tif 000003
【図２】
2011226171.tif 000004
【図３】
2011226171.tif 000005
【図４】
2011226171.tif 000006
【図５】
2011226171.tif 000007
【図６】
2011226171.tif 000008
【図７】
2011226171.tif 000009
【図８】
2011226171.tif 000010
【図９】
2011226171.tif 000011
【図１０】
2011226171.tif 000012
【図１１】
2011226171.tif 000013